(57)【要約】【課題】本発明は、疾病または事故により傷害を受けた人体の管状器官中の体液流動を正常化する目的で使用される身体植え込み管を提供する。【解決手段】長手に導管を有する管状本体部材と；前記本体部材を包囲する１個以上の膨張固定化部材であって、前記膨張固定化部材が本体部材の導管に沿って流れる体液を吸収することにより膨張し、膨張の結果、管状器官中に固定される膨張固定化部材と；本体部材の長手導管を前記膨張固定化部材に連結する複数の空孔であって、前記空孔は膨張固定化部材に接触する本体部材の一部に形成される空孔とを含む、身体植え込み管による。【選択図】図１
2004528134.tif 000002
【特許請求の範囲】
【請求項１】
長手に導管を有する管状本体部材と；
前記本体部材を包囲する１個以上の膨張固定化部材であって、本体部材の導管に沿って流れる体液を吸収することにより膨張し、膨張の結果、管状器官中に固定される膨張固定化部材と；
本体部材の長手導管を前記膨張固定化部材に連結する複数の空孔であって、膨張固定化部材に接触する本体部材の一部に形成される空孔と；
を含むことを特徴とする身体植え込み管。
【請求項２】
前記管状本体部材は、単なる円筒形であるか、または該本体部材の一端または両端がその中心部よりも相対的に大きな直径を有する漏斗形であるかであることを特徴とする請求項１に記載の身体植え込み管。
【請求項３】
遠位端面は、管状器官内に容易に挿入されるように垂直ではなくて傾斜がつけられていることを特徴とする請求項１または２に記載の身体植え込み管。
【請求項４】
前記膨張固定化部材は、インビボ組織に直接接触することを防止し、適切な範囲にその膨張を限定し、カルシウムに接触することにより引き起こされるカルシウム沈着を防止するために、良好な弾性および生体適合性を有する材料でさらに被覆されているか、または、薄いシートで覆われていることを特徴とする請求項１または２に記載の身体植え込み管。
【請求項５】
前記身体植え込み管の挿入される管状器官は、涙管、尿道管、鼻涙管、膵管、尿管、耳下腺管、ファローピウス管、または精管であることを特徴とする請求項１または２に記載の身体植え込み管。
【請求項６】
長手に導管を有する管状本体部材と；
前記本体部材を包囲する１個以上の膨張固定化部材であって、本体部材の導管に沿って流れる体液を吸収することにより膨張し、膨張の結果、管状器官中に固定される膨張固定化部材と；
前記膨張固定化部材に水を供給する水供給手段であって、前記膨張固定化部材に接合され、水供給後に除去できる水供給手段と；
を含むことを特徴とする身体植え込み管。
【請求項７】
相対的に小さな寸法の第１の植え込み管（Ａ）と相対的に大きな寸法の第２の植え込み管（Ｂ）とを含み、かつ、第１および第２の植え込み管（Ａ）、（Ｂ）が請求項１〜５のいずれか一項に記載の植え込み管と殆ど同一であり、第１の植え込み管（Ａ）が長手に導管を有するか、または有することない身体植え込み管であって、
第２の植え込み管（Ｂ）が人体内に固定されている状態において、第１の植え込み管（Ａ）が第２の植え込み管（Ｂ）の長手導管に挿入され、固定されるように、第１の植え込み管（Ａ）の外径が第２の植え込み管（Ｂ）の内径よりも小さいことを特徴とする身体植え込み管。
【発明の詳細な説明】
【技術分野】
【０００１】
本発明は、疾病または事故により傷害を受けた人体の管状器官中の体液流動を正常化する目的で使用される身体植え込み管、特に涙管など、体液流動が生じる人体の管状器官に挿入され、次に体液の水分によって膨張し、固定化されることによって、傷害部位が再生されるまで、または永久に傷害部位の代わりとなって体液を円滑に流動させる身体植え込み管に関する。
【背景技術】
【０００２】
人体は、血液、体液、分泌液、排泄物などの液相物が連続して流れる生命活動を継続する組織体である。人体には、これらの液相物の移動導管として、例えば涙管、尿道管、胆管など多数の管状器官がある。これらの管状器官の１つ以上が疾病または事故によって詰まると液相物は循環できず、このため患者は痛みをこうむり、また他の疾病に罹る恐れがある。例えば、涙管が詰まると、眼の方へ分泌される分泌液である涙液が鼻腔内に流れることができず、その代わり顔面に沿って流れるため鼻腔が乾燥する。涙管障害は１００人の交通事故患者当たり１人か２人に起こる非常に一般的な現象であることが報告されている。一方、尿道管が詰まると、腎臓内でろ過された尿は、膀胱へ移動することができず、その結果、腎組織が破壊されて最後には患者の生命が失われる恐れがある。
【０００３】
管状器官のこのような閉塞現象は、一般に物理的手術により治療され、一般に補助器具を用いて詰まった部位を貫通させる。例えば、詰まった涙管の治療方法として、漏斗形シリコーン管（いわゆる「オリーブ管（Ｏｌｉｖｅ  ｔｕｂｅ）」）またはガラス管（いわゆる「ジョーンズ管（Ｊｏｎｅｓ  ｔｕｂｅ）」）を詰まった涙管に挿入する方法、またオープンループ形シリコーン管を涙管に挿入してから鼻腔内または鼻腔外のループ両端を結ぶ方法がある。これらの管は、ある一定期間（一般に３週間、６週間の場合もある）挿入状態にしておき、傷害部位が回復したら除去される。しかし、オリーブ管では、涙管の入口に固定される漏斗形末端が、目のまばたきを妨害して患者に不快を与え、またくしゃみまたは他の外的影響が起きる傾向がある。ループ形のシリコーン管では、シリコーン管の一部が外部に露出することによって、患者の外観または行動に悪影響を与える。また、外部物質または病原菌がループの動きによりループに沿って人体に入る可能性がある。
【０００４】
これらの課題を解決するために、特許文献１は、円筒管の中心にガラスまたは硬質プラスチックから作製される膨張部分を有する涙液排出ダックを提供している。しかしながら、膨張部分を涙管中に固定するために膨張部分が大きな寸法を有さなければならないことから、このダックを涙管に挿入することは難しく、傷害部位をその挿入にとって適正な範囲に切開する必要がある。特許文献２は、近位端、遠位端、遠位端との体液伝達における膨張部分、および本体管内の近位端を密封し固定させるプラグを有する可撓性管を含む固定ステントを提供している。しかしながら、ステント部分は、目に露出するため、目のまばたきが妨害される。
【０００５】
一方、詰まった尿道管の治療法として長円筒管を使用する方法があり、前記管の両端がブタの尾状に巻かれており、ワイヤが管の長手導管中に挿入されている。手術でこの管が尿道管内に挿入されワイヤが管から除去されると、管が尿道管を通るように、両端が元の形状に巻かれて、一端は腎臓の入口に引っ掛かり、他端は膀胱の入口に引っ掛かる。しかし、膀胱中の病原菌が管に沿って腎臓に入って、それを汚染する恐れがある。さらに、前記管が膀胱周囲の括約筋機能を阻害または損傷し、その結果、尿が膀胱に連続的に流れる恐れがある。
【０００６】
閉塞現象が生じる血管を膨張させる器具として、開放端と閉鎖端を有する管、管の周囲を取り巻き、その閉鎖端に隣接した管に据え付けられた圧縮性カフを含む管状ユニットが特許文献３に開示されている。この管状ユニットは、前記ユニットがその閉塞部位を越えた血管に挿入され、開放端から水を注入してカフを膨張させてからユニットを血管から引き抜くことによって、現在閉塞現象が生じている血管を膨張させ、その中に蓄積した血栓を同時に取り除くように働く。しかしながら、血管の膨張部位は、術後縮む恐れがあり、また血管の内面が損傷を受けて新組織がそこに増殖する恐れがある。さらに、この管状ユニットは、涙管、尿道管などの他の管状器官には使用できない。
【０００７】
【特許文献１】
米国特許第３，７２６，２８４号明細書
【特許文献２】
米国特許第５，３１８，５１３号明細書
【特許文献３】
米国特許第３，８８９，６８４号明細書
【特許文献４】
米国特許第４，０９８，７２８号明細書
【発明の開示】
【発明が解決しようとする課題】
【０００８】
本発明の目的は、上記の課題を一度にすべて解決することである。
【０００９】
本発明の目的は、体液、分泌液、排泄物など（単に体液とも言う）の流れを円滑にさせるため、内視鏡下手術で人体の傷ついた部位に挿入されてからそこに自動的に固定させる新規身体植え込み管を提供することである。
【００１０】
本発明の他の目的は、重篤な傷害のため再生不能な管状器官の代用のため、人体に植え込まれる新規身体植え込み管を提供することである。
【００１１】
本発明のさらに他の目的は、長さが長く且つ広い傷害部位を有する管状器官の再生速度を高めるために、異物の流入を遮断する新規身体植え込み管を提供することである。
【課題を解決するための手段】
【００１２】
これらの目的を達成するために、本発明の身体植え込み管は、
長手に導管を有する管状本体部材と；
前記本体部材を包囲する１個以上の膨張固定化部材であって、本体部材の導管に沿って流れる体液を吸収することにより膨張し、膨張の結果、管状器官中に固定される膨張固定化部材と；
本体部材の長手導管を前記膨張固定化部材に連結する複数の空孔であって、前記空孔が膨張固定化部材に接触する本体部材部分に形成される複数の空孔と；
を含む。
【００１３】
管状本体部材の長さは、本発明の管が植え込まれる管状器官の長さに依存して変えることができる。本発明の特徴の１つは、管状器官の傷害部位に植え込み管を簡単に取り付けるだけで傷害部位を治療できることであり、その結果、植え込み管は、管状器官の入口からその出口まで伸展させる必要がない。例えば、涙管の中間部位が傷害を受けている場合、本発明の植え込み管は、先行技術の方法とは異なって涙管の入口、すなわち目に隣接した部位に露出させる必要がなく、このため患者の痛みが減じる。尿道管の中間部位が傷害を受けている場合、本発明の植え込み管は、尿道管の入口まで並びに尿道管の出口まで伸展させる必要がなく、そのため括約筋の機能を損傷しない。ここで入口とは腎臓に隣接した部位を意味し、出口とは膀胱に隣接した部位を意味する。
【００１４】
管状本体部材は単なる円筒形であってもよく、または身体部材の一端または両端が、その中間部よりも相対的に大きな直径を有する漏斗形であってもよい。特に、漏斗形本体部材は、漏斗形末端（「近位端」）から涙液などの分泌液を集め、それを反対末端（「遠位端」）に送るのに利用できる。他の実施形態において、管状器官への挿入を促進するために、遠位端面は垂直ではなくて傾斜させる。この末端の外面は、挿入において管状器官の内面を損傷しないように丸みがあることが好ましい。
【００１５】
管状本体部材の直径は、特に限定されない。本発明の特徴の１つは、本体部材の外径が管状器官の内径よりも小さい場合でも管状器官の機能に悪影響を及ぼすことなく体液流動を導けることである。尿道管などの人体の管状器官においては、蠕動運動、すなわち、消化管を通して食物を、尿管を通って尿を腎臓から膀胱へ、胆汁を胆嚢から十二指腸へ動かすために自動的に生じる一連の正常な調和がある律動的筋肉収縮が生じる。従来の植え込み管のように、植え込み管の外径が管状器官の内径と同じかまたはそれより少し小さい場合、蠕動運動が阻害されるので体液の円滑な流動が誘導できない。しかし、本発明の植え込み管において、体液は、膨張固定化部材を通っても流動でき、その結果、体液は管状の本体部材の内部および外部をそれぞれ流動できる。したがって、本体部材の外径が管状器官の内径よりも小さい場合でも、前記本体部材は膨張固定化部材によって管状器官の内部に固定でき、このため管状器官の蠕動運動を妨げることなく体液流動が導かれる。
【００１６】
前記膨張固定化部材は、体液を吸収しない状態では本体部材の外径よりもやや大きな直径を有するが、体液を吸収している状態では約３倍から２０倍の範囲まで膨張する。前記膨張固定化部材が管状器官に挿入された植え込み管により膨張することを考慮すると、膨張性は管状器官によって著しく制限されるが、しかし前記植え込み管はこのような膨張のため管状器官内に固定することができる。インビボ体液、分泌液などは、かなりの量の水分を含有し、本体部材に穿孔された複数の空孔を通して流入して前記水分が膨張固定化部材を膨潤させる。
【００１７】
前記膨張固定化部材の形状は特に限定しないが、全体形状が管状本体部材と同心円をなした円筒であり、その両端は、本体部材と柔らかく接触するように傾斜がつけられることが好ましい。
【００１８】
前記膨張固定化部材と本体部材との接合は、膨張固定化部材を接着剤により本体部材に取り付けること、本体部材の外面を不揃いにしてからその上に膨張固定化部材を成形することなど、種々の方法で達成できる。取り付け法においては、接着剤成分が膨張固定化部材の膨張時に接合部分からにじみ出る可能性があるので、生体適合性接着剤を使用する必要がある。商品として入手できる接着剤として、シラスチック（Ｓｉｌａｓｔｉｃ（登録商標））（ダウコーニング・コーポレーション（ＤｏｗＣｏｒｎｉｎｇ  Ｃｏｒｐｏｒａｔｉｏｎ））がある。成形法において、不揃い表面を有する本体部材を最初に成形してから、膨張固定化部材を成形によりそれと合体させる。
【００１９】
本発明の植え込み管は人体に挿入される器具であることから、それは生体適合性である必要がある。生体適合性を有する多数の材料が当業界に知られており、本体部材として、スチレン／エチレン／ブチレン類コポリマー（シー−フレックス（Ｃ−Ｆｌｅｘ（登録商標）））、ポリエチレンコポリマー（パークフレックス（Ｐｅｒｃｕｆｌｅｘ（登録商標）））、ポリエステルコポリマー（シリテック（Ｓｉｌｉｔｅｋ（登録商標）））などが使用できるがそれらに限定されない。それらのうちシリコーンは、その良好な弾性、容易な成形性および低価格のため特に望ましい。
【００２０】
前記膨張固定化部材は、生体適合性であるとともに水吸収により膨張する必要がある。それらのうち好ましい例としては、多孔性ポリビニルアルコール、およびポリビニルアルコールとホルムアルデヒド、アセチルアルデヒドなどとの部分的架橋により得られた多孔性ポリマー類が挙げられる。商品として入手できる材料は、メロセル（Ｍｅｒｏｃｅｌ（登録商標））（メロセル・コーポレーション（Ｍｅｒｏｃｅｌ  Ｃｏｒｐｏｒａｔｉｏｎ））であり、その詳細な情報が特許文献４に開示され、引用文献として本発明明細書に組入れられている。
【００２１】
一実施形態において、前記膨張固定化部材は、インビボ組織に直接接触することを防止し、その膨張を適切な範囲に限定し、カルシウムに接触することにより生じるカルシウム沈着を防止するために、良好な弾性および生体適合性を有する材料でさらに被覆されているか、または薄いシートで覆われている。このような形状は、管状器官の内壁を植え込み管から効率的に保護する。
【００２２】
他の実施形態において、前記管状本体部材と膨張固定化部材との間に複数の空孔が形成されず、その代わり膨張固定化部材に水を供給してから除去できる水供給手段がさらに含まれる。
【００２３】
この形状の植え込み管は、長手に導管を有する管状の本体部材と；本体部材の導管に沿って流れる体液を吸収することによって膨張し、膨張の結果、管状器官内に固定される、前記本体部材を包囲する１種以上の膨張固定化部材と；さらに、前記膨張固定化部材に接合し、水供給後そこから除去できる、膨張固定化部材に水を供給する水供給手段と；を含む。前記水供給手段は、本体部材の長手導管の内側または外側に配置される。前記膨張固定化部材と水供給手段との接合部位は、引っ張り力をそれに適用すると容易に分割されるように形成される。
【００２４】
他の実施形態において、本発明の植え込み管は、相対的に小さな寸法の第１の植え込み管（Ａ）および相対的に大きな寸法の第２の植え込み管（Ｂ）を含み、前記第１の植え込み管（Ａ）の外径は、前記第２の植え込み管（Ｂ）の内径よりも小さく、その結果、第２の植え込み管（Ｂ）が人体に固定された状態で、第１の植え込み管（Ａ）が第２の植え込み管（Ｂ）の長手導管内に挿入され、固定される。前記第２の植え込み管（Ｂ）は、前に説明した植え込み管と殆ど同じだが、第１の植え込み管（Ａ）は第２の植え込み管（Ｂ）内のような長手導管を有してもよく、または有さなくてもよい。
【００２５】
この形状の植え込み管の組合せは、人体に既に固定された第２の植え込み管（Ｂ）の長手導管を通って流れる体液量を制御するために有用である。
【００２６】
本発明の植え込み管は、前述の涙管や尿道管に加えて、限定しないが、鼻涙管、膵管、尿管、耳下腺管、ファローピウス管、精管などの人体の管状器官を治療するために用いられる。
【００２７】
管状器官が植え込み管の補助により再生され、植え込み管を除去する必要がある場合、膨張固定化部材の外面に生体適合性潤滑剤を塗ってから前記管を引っ張ることによって除去できる。
【００２８】
下記に示されるように、本発明をより詳細に説明するために図面を参照として説明されるが、それによってその発明の範囲が、本発明を限定するものとして解釈されるものではない。
【発明を実施するための最良の形態】
【００２９】
図１は、本発明の実施形態による植え込み管を示している。植え込み管１００は、中空、長円筒からなり、人体の管状器官のように働く。前記植え込み管１００の近位端１１２は、管状本体部材１１０よりも大きな直径を有する漏斗形からなるように形状化される。この形状は、前記近位端１１２を通して、例えば涙液を集めるのに有用である。遠位端１１４は、管状器官（示されていない）内に容易に挿入されるように傾斜がつけられている。したがって、植え込み管１００は遠位端１１４側から管状器官内に挿入される。膨張固定化部材２００は、前記管状本体部材１１０の一部を包囲し、術中、前記膨張固定化部材２００は、例えば、涙管中、比較的小さな内径で涙嚢上に配置される。前記膨張固定化部材２００の近位端２０２と遠位端２０４は、前記管状本体部材１１０に向けて傾斜がつけられており、そのため植え込み管１００の挿入時に管状器官の内壁に重大な影響を与えない。
【００３０】
図２Ａは、図１の植え込み管１００の軸方向断面図を示している。前記管状本体部材１１０の内部空間を前記膨張固定化部材２００に接続する働きをしている複数の空孔１２０は、前記膨張固定化部材２００が接合する本体部材１１０の一部に形成される。前記膨張固定化部材２００を本体部材１１０に接合させる種々の方法がある。前に説明したように、接着剤を用いる方法や本体部材の表面を不揃いにさせてから、その上に前記膨張固定化部材を成形させる方法に加えて、他の可能な方法は、空孔１２０が形成される管状本体部材１１０上に直接、前記膨張固定化部材２００用のポリマー原料を成形させることである。ここで、液相または溶融相であるポリマーの一部が空孔１２０に流入することによって本体部材１１０との接合が達成される。
【００３１】
図２Ｂは、管状本体部材１１０の長手導管を通って流れる体液によって膨張した植え込み管１００の軸方向断面図を示している。本体部材１１０の長手導管を通って流れる体液の一部は、空孔１２０を通って膨張固定化部材２００に流入し、流入体液が膨張固定化部材２００に吸収される。膨張固定化部材２００は体液の水分により膨潤するので、膨張固定化部材が膨張する。どんな場合でも、植え込み管１００が植え込まれる管状器官の内壁にある水分によって膨張を引き起こすことができる。図中では膨張が垂直に生じるように描かれているが、膨張固定化部材２００は、本体部材１１０の円周面に沿って膨張してドーナツ形を形成する。このように膨張した膨張固定化部材２００が、管状器官（示されていない）の内壁に接触することによって、特定の位置に前記植え込み管１００が固定される。本体部材１１０の外径が管状器官の内径よりもさらに小さい場合であっても、植え込み管１００は、膨張固定化部材２００の膨張によって固定できる。したがって、傷ついた管状器官を直接切開することなく、またはそれに隣接した広い部位を開くことなく、内視鏡下手術で小さな切開により前記植え込み管１００を挿入することが可能である。前記挿入管１００は、管状器官の内壁にある水分によってまず膨潤し、次いで前記管状本体部材１１０の空孔１２０を通って流れる水分によってさらに膨潤する。植え込み管１００の膨張は、管状器官の内壁によってかなり制限され、したがって、前記管状本体部材１１０に沿って水平に膨張が進行する。
【００３２】
図３は、他の形状の植え込み管３００を示している。薄膜２１０が膨張固定化部材２００の外面を覆っている。前記のとおり、薄膜２１０は、前記膨張固定化部材２００が管状器官の組織へ直接接触することを防止するように働いて、膨張性を適切な範囲に限定し、カルシウムの接触により引き起こされるカルシウム沈着を防止する。
【００３３】
図４Ａは、他の形状の植え込み管４００を示している。この植え込み管４００は、図２Ａの植え込み管１００とは違って複数の空孔１２０を含まない。その代わり、膨張固定化部材２００の膨潤用に水を供給する働きをする小さな水供給管５００が膨張固定化部材２００に連結されている。図では前記水供給管５００が管状本体部材１１０の内部に配置されているが、それは外側でも配置できる。図４Ａの形状において、水供給管５００の末端５１０が接合する１個の空孔１３０を本体部材５１０に穿孔する。末端５００と空孔１３０との接合は、前記水供給管５００を引っ張ることにより取り外すことができる。空孔１３０は種々の形状が可能であり、図４Ｂの他の実施形態において、空孔１３０は膨張固定化部材２００の水分が排出されることを防止するように形状化される。図４Ｂを参照にして、遮蔽手段１３２は、蝶番１３４によって管状本体部材１１０に接合され、密封手段１３６は、本体部材１１０の対応する部分に取り付けられる。したがって、管状本体部材１１０内の体液流動によって圧が生じると、遮蔽手段１３２が蝶番１３４上で矢印方向で旋回することによって空孔１３０を閉じ、このため本体部材１１０内に流れる体液は、膨張固定化部材２００方向へ排出できない。体液排出を防ぐ形状は図４Ｂの形状に限定されない。
【００３４】
図５は、２個の膨張固定化部材を含む他の形状の植え込み管６００を示している。植え込み管６００は容易に曲げることができるように、生体適合性で且つ弾性のシリコーンから作製される。２個の膨張固定化部材３１０、３２０は、薄い保護膜で被覆される図３の膨張固定化部材２００と同じ形状であり、管状本体部材６１０の両端６１２、６１４の近傍に取り付けられる。このような形状の植え込み管６００は、長さが長く且つ広い傷害部位を有する管状器官の治療に有用である。特に管状器官の障害部位が２個の膨張固定化部材３１０、３２０間におかれた場合、異物の流入が膨張固定化部材３１０、３２０によって遮断されることによって、傷害部位が保護され、且つ再生速度が高められる。
【００３５】
図６は、本発明の他の植え込み管を示している。図６の植え込み管の特徴は、異なる形状を有する２つの管要素の組合せである。
【００３６】
図６を参照して、相対的に小さな寸法の第１の植え込み管７００が相対的に大きな寸法の第２の植え込み管８００内に挿入される。組合せ状態の外部を形成する第２の植え込み管８００の内径は、第１の植え込み管７００の外径よりも大きい。このような組合せは、植え込み管が管状器官の重篤な損傷のため人体に半永久的に植え込まれる必要がある場合、傷害管状器官の再生に長時間かかる場合、また第２の植え込み管が長期間植え込まれている状態で、体液の流量が制御される必要がある場合に有用である。第２の植え込み管８００は管状器官に固定されるが、必要時に異なる内径を有する種々の第１の植え込み管７００を代わりにそこへ挿入できる。流量制御は完全遮蔽の場合を含むことから、管状本体部材７１０は、長手導管が密封される形状であってもよい。このような変更は本発明の範囲内に含まれると解釈すべきである。
【００３７】
図６のとおり、第１の植え込み管７００が第２の植え込み管８００に容易に挿入され、第２の植え込み管８００の管状本体部材８１０の開放近位端８２０を完全に密封するために、第１の植え込み管７００の管状本体部材７１０の近位端７１２は漏斗形であり、近位端７１２の外径は、近位端８２０の内径と同じかまたはより大きい。他の実施形態において、管状本体部材７１０の近位端７１２は漏斗形ではなく、単なる円筒形である。この場合、第１の植え込み管７００の外径は、第２の植え込み管８００の内径よりも小さい。
【００３８】
本発明はこのように記載されるが、同じことが多くの方法で変更できることは明白となろう。このような変更は、本発明の精神と範囲から逸脱するものとはみなされず、このような変更の全ては、当業者にとって明白となろう。
【産業上の利用可能性】
【００３９】
本発明の身体植え込み管は、人体の管状器官内に容易に挿入されてから自動的に固定され、これによって手術時間を著しく減少させる。涙管の場合、前記植え込み管は、管状器官の入口、すなわち眼の方向に伸展せず、このため眼および患者の外観に悪影響を及ぼさない。尿道管の場合、前記植え込み管は、腎臓および膀胱を引っ掛けるためのいかなる補助要素なしに、尿道管の障害部位のみに新しい尿路を形成するために使用でき、このため腎炎、膀胱炎、括約筋傷害などを引き起こさない。さらに、前記植え込み管は、内視鏡下手術において実施できる。
【図面の簡単な説明】
【００４０】
【図１】本発明の一実施形態による植え込み管を示す斜視図である。
【図２Ａ】図１の植え込み管を示す軸方向断面図である。
【図２Ｂ】植え込み管内にある体液の流入によって膨潤した、図１の植え込み管を示す軸方向断面図である。
【図３】本発明の他の実施形態による植え込み管を示す斜視図である。
【図４Ａ】本発明のさらなる実施形態による植え込み管を示す斜視図である。
【図４Ｂ】本発明のさらなる実施形態による空孔を示す部分拡大図である。
【図５】２個の膨張固定化部材を含む本発明のなおさらなる実施形態による植え込み管を示す軸方向断面図である。
【図６】使用状態における異なる寸法の２本の植え込み管の組合せを示す断面図である。
【符号の説明】
【００４１】
１００、３００、４００、６００、７００、８００：身体植え込み管
１１０、６１０、７１０、８１０：管状本体部材
１２０：空孔
２００、３１０、３２０：膨張固定化部材
【図１】
2004528134.tif 000003
【図２Ａ】
2004528134.tif 000004
【図２Ｂ】
2004528134.tif 000005
【図３】
2004528134.tif 000006
【図４Ａ】
2004528134.tif 000007
【図４Ｂ】
2004528134.tif 000008
【図５】
2004528134.tif 000009
【図６】
2004528134.tif 000010
【国際公開パンフレット】
2004528134.tif 000011
2004528134.tif 000012
2004528134.tif 000013
2004528134.tif 000014
2004528134.tif 000015
2004528134.tif 000016
2004528134.tif 000017
2004528134.tif 000018
2004528134.tif 000019
2004528134.tif 000020
2004528134.tif 000021
2004528134.tif 000022
2004528134.tif 000023
2004528134.tif 000024
2004528134.tif 000025
2004528134.tif 000026
2004528134.tif 000027
2004528134.tif 000028
2004528134.tif 000029
2004528134.tif 000030
2004528134.tif 000031
2004528134.tif 000032
【国際調査報告】
2004528134.tif 000033
2004528134.tif 000034